(57)【要約】【課題】  放電灯をより安定的に点灯させる技術を提供する。【解決手段】  ２つの電極間の放電で点灯する放電灯の駆動は、両電極間に印加される電圧の極性を交互に切り替えつつ行われる。この放電灯の駆動に際し、極性切替の一周期において電極の一方が陽極として動作する陽極時間の比率である陽極デューティ比は、所定の範囲内で変調される。所定の範囲は、所定の条件が満たされた場合、変調される陽極デューティ比の最高値が放電灯の初期の陽極デューティ比の最高値よりも高くなるように変更される。【選択図】  図７
2010135343.tif 000002
【特許請求の範囲】
【請求項１】
２つの電極間に印加する電圧の極性を交互に切り替えつつ、両電極間で放電を行うことにより点灯する放電灯の駆動方法であって、
前記極性切替の一周期において前記電極の一方が陽極として動作する陽極時間の比率である陽極デューティ比を、所定の範囲内で変調し、
所定の条件が満たされた場合には、前記所定の範囲を変更し、前記変調される陽極デューティ比の最高値を、前記放電灯の初期の陽極デューティ比の最高値よりも高くする
放電灯の駆動方法。
【請求項２】
請求項１記載の放電灯の駆動方法であって、
前記陽極デューティ比の変調において、該陽極デューティ比の１回の変更当たりの陽極デューティ比の変化幅は一定であり、
前記所定の条件が満たされた場合、前記陽極デューティ比の最高値を、前記変調が行われる一変調周期のうちで、前記陽極デューティ比を増加する変更の実施回数を増やすことによって高くする
放電灯の駆動方法。
【請求項３】
請求項１または２記載の放電灯の駆動方法であって、
前記放電灯は、前記２つの電極の一方の電極が他方の電極より動作中の温度が高くなる条件を備えており、
前記一方の電極における陽極デューティ比を、前記他方の電極における陽極デューティ比よりも低くする
放電灯の駆動方法。
【請求項４】
請求項３記載の放電灯の駆動方法であって、
前記放電灯は、前記電極間で放射される光を前記他方の電極側に向けて反射する反射鏡を有している
放電灯の駆動方法。
【請求項５】
請求項１ないし４のいずれか記載の放電灯の駆動方法であって、
前記所定の条件は、前記放電灯の累積点灯時間が所定の基準時間を経過したことである
放電灯の駆動方法。
【請求項６】
請求項１ないし４のいずれか記載の放電灯の駆動方法であって、さらに、
前記放電灯の使用に伴う前記電極の劣化状態を検知し、
前記所定の条件が満たされたか否かを前記劣化状態に基づいて決定する
放電灯の駆動方法。
【請求項７】
請求項６記載の放電灯の駆動方法であって、
前記劣化状態を、前記２つの電極間に所定の電力を供給する際の両電極間の電圧に基づいて検知する
放電灯の駆動方法。
【請求項８】
請求項１ないし７のいずれか記載の放電灯の駆動方法であって、
前記極性切替の周期を、前記変調が行われる一変調周期内において一定値に維持する
放電灯の駆動方法。
【請求項９】
放電灯の駆動装置であって、
前記放電灯の２つの電極間に電力を供給して前記放電灯を点灯する放電灯点灯部と、
前記放電灯点灯部による電力の供給状態を制御する給電制御部と
を備え、
前記放電灯点灯部は、前記電極間に印加する電圧の極性を交互に切り替える極性切替部を有しており、
前記給電制御部は、
前記極性切替の一周期において前記電極の一方が陽極として動作する陽極時間の比率である陽極デューティ比を所定の範囲内で変調する陽極デューティ比変調部と、
所定の条件が満たされた場合に、前記所定の範囲を変更し、前記変調される陽極デューティ比の最高値を、前記放電灯の初期の陽極デューティ比の最高値よりも高くする変調範囲変更部と
を有する放電灯の駆動装置。
【請求項１０】
光源装置であって、
放電灯と、
前記放電灯の２つの電極間に電力を供給して前記放電灯を点灯する放電灯点灯部と、
前記放電灯点灯部による電力の供給状態を制御する給電制御部と
を備え、
前記放電灯点灯部は、前記電極間に印加する電圧の極性を交互に切り替える極性切替部を有しており、
前記給電制御部は、
前記極性切替の一周期において前記電極の一方が陽極として動作する陽極時間の比率である陽極デューティ比を所定の範囲内で変調する陽極デューティ比変調部と、
所定の条件が満たされた場合に、前記所定の範囲を変更し、前記変調される陽極デューティ比の最高値を、前記放電灯の初期の陽極デューティ比の最高値よりも高くする変調範囲変更部と
を有する光源装置。
【請求項１１】
画像表示装置であって、
画像表示用の光源である放電灯と、
前記放電灯の２つの電極間に電力を供給して前記放電灯を点灯する放電灯点灯部と、
前記放電灯点灯部による電力の供給状態を制御する給電制御部と
を備え、
前記放電灯点灯部は、前記電極間に印加する電圧の極性を交互に切り替える極性切替部を有しており、
前記給電制御部は、
前記極性切替の一周期において前記電極の一方が陽極として動作する陽極時間の比率である陽極デューティ比を所定の範囲内で変調する陽極デューティ比変調部と、
所定の条件が満たされた場合に、前記所定の範囲を変更し、前記変調される陽極デューティ比の最高値を、前記放電灯の初期の陽極デューティ比の最高値よりも高くする変調範囲変更部と
を有する画像表示装置。
【発明の詳細な説明】
【技術分野】
【０００１】
この発明は、電極間の放電により点灯する放電灯の駆動技術に関する。
【背景技術】
【０００２】
プロジェクタ等の画像表示装置に使用される光源として、高圧ガス放電ランプ等の高輝度放電ランプが使用される。高輝度放電ランプを点灯させる方法として、高輝度放電ランプに交流の電流（交流ランプ電流）を供給することが行われている。このように、交流ランプ電流を供給して高輝度放電ランプを点灯させる際に、高輝度放電ランプ内で生じるライトアークの安定度を向上させるため、絶対値がほぼ一定で、正パルスのパルス幅と負パルスのパルス幅との間のパルス幅比率が変調された交流ランプ電流を高輝度放電ランプに供給することが提案されている（例えば、特許文献１参照）。
【先行技術文献】
【特許文献】
【０００３】
【特許文献１】特表２００４−５２５４９６号公報
【発明の概要】
【発明が解決しようとする課題】
【０００４】
しかしながら、交流ランプ電流をパルス幅変調して高輝度放電ランプを点灯しても、例えば、放電電極が劣化している場合など、高輝度放電ランプの電極の状態によっては、ライトアークを安定させることが困難な場合がある。この問題は、高輝度放電ランプに限らず、電極間のアーク放電により光を放射する種々の放電ランプ（放電灯）に共通する。
【０００５】
本発明は、上述した従来の課題を解決するためになされたものであり、放電灯をより安定的に点灯させることを目的とする。
【課題を解決するための手段】
【０００６】
本発明は、上述の課題の少なくとも一部を解決するためになされたものであり、以下の形態又は適用例として実現することが可能である。
【０００７】
［適用例１］
２つの電極間に印加する電圧の極性を交互に切り替えつつ、両電極間で放電を行うことにより点灯する放電灯の駆動方法であって、
前記極性切替の一周期において前記電極の一方が陽極として動作する陽極時間の比率である陽極デューティ比を、所定の範囲内で変調し、
所定の条件が満たされた場合には、前記所定の範囲を変更し、前記変調される陽極デューティ比の最高値を、前記放電灯の初期の陽極デューティ比の最高値よりも高くする
放電灯の駆動方法。
【０００８】
この適用例によれば、所定の条件が満たされた場合、陽極デューティ比の最高値が、初期の陽極デューティ比よりも高く設定される。陽極デューティ比を高くすることにより、放電が発生する電極の先端部の温度が上昇する。これにより、電極の先端部が溶融して、ドーム状の突起が形成される。放電ランプの電極間のアークは、通常、このように形成された突起を基点として生じる。そのため、アークの発生位置が安定し、放電灯はより安定的に点灯される。
【０００９】
［適用例２］
適用例１記載の放電灯の駆動方法であって、
前記陽極デューティ比の変調において、該陽極デューティ比の１回の変更当たりの陽極デューティ比の変化幅は一定であり、
前記所定の条件が満たされた場合、前記陽極デューティ比の最高値は、前記変調が行われる一変調周期のうちで、前記陽極デューティ比を増加する変更の実施回数を増やすことによって高くされる
放電灯の駆動方法。
【００１０】
この適用例によれば、陽極デューティ比の変調に際し、一変調周期のうちで陽極デューティ比を増加する陽極デューティ比の変更の実施回数を増やすことにより、陽極デューティ比の最高値が高くされる。そのため、陽極デューティ比の最高値がより高い状態において、陽極デューティ比が最高値となる時間を短縮することができる。そのため、電極の過昇温を抑制して、電極の劣化を抑制することが可能となる。
【００１１】
［適用例３］
適用例１または２記載の放電灯の駆動方法であって、
前記放電灯は、前記２つの電極の一方の電極が他方の電極より動作中の温度が高くなる条件を備えており、
前記一方の電極における陽極デューティ比を、前記他方の電極における陽極デューティ比よりも低くする
放電灯の駆動方法。
【００１２】
この適用例では、動作中の温度が高くなる一方の電極における陽極デューティ比を、他方の電極における陽極デューティ比よりも低くしている。これにより、動作中の温度が高くなる電極の過昇温が抑制されるので、その電極の劣化を抑制することができる。
【００１３】
［適用例４］
適用例３記載の放電灯の駆動方法であって、
前記放電灯は、前記電極間で放射される光を前記他方の電極側に向けて反射する反射鏡を有している
放電灯の駆動方法。
【００１４】
反射鏡を設けることにより、反射鏡が設けられた側の電極からの放熱が妨げられる。この適用例によれば、このように放熱が妨げられる電極の過昇温が抑制されるので、反射鏡側の電極の劣化を抑制することができる。
【００１５】
［適用例５］
適用例１ないし４のいずれか記載の放電灯の駆動方法であって、
前記所定の条件は、前記放電灯の累積点灯時間が所定の基準時間を経過することにより満たされる
放電灯の駆動方法。
【００１６】
この適用例によれば、放電灯の累積点灯時間が基準時間を超過すると、陽極デューティ比がより高く設定される。そのため、累積点灯時間が長く劣化が進行した電極では突起の形成が促され、累積点灯時間が短く劣化が進行していない電極では過昇温が抑制される。そのため、電極の劣化を抑制するとともに、電極の劣化に伴うアークの安定性の低下を抑制することができる。
【００１７】
［適用例６］
適用例１ないし４のいずれか記載の放電灯の駆動方法であって、さらに、
前記放電灯の使用に伴う前記電極の劣化状態を検知し、
前記所定の条件が満たされたか否かを前記劣化状態に基づいて決定する
放電灯の駆動方法。
【００１８】
この適用例によれば、電極の劣化状態に基づいて、陽極デューティ比がより高く設定される。そのため、劣化が進行した電極では突起の形成が促され、劣化が進行していない電極では過昇温が抑制される。そのため、電極の劣化を抑制するとともに、電極の劣化に伴うアークの安定性の低下を抑制することができる。
【００１９】
［適用例７］
適用例６記載の放電灯の駆動方法であって、
前記劣化状態は、前記２つの電極間に所定の電力を供給する際に両電極間に印加される電圧に基づいて検知される
放電灯の駆動方法。
【００２０】
一般に、電極が劣化するとアークの長さが長くなり、所定の電力を供給する際に印加される電圧が高くなる。そのため、この適用例によれば、電極の劣化状態をより容易に検知することが可能となる。
【００２１】
［適用例８］
適用例１ないし７のいずれか記載の放電灯の駆動方法であって、
前記極性切替の周期を、前記変調が行われる一変調周期内において一定値に維持する
放電灯の駆動方法。
【００２２】
この適用例によれば、極性の切替周期が変調周期内において一定値に維持される。そのため、一般的なパルス幅変調回路により陽極デューティ比の変調が可能となるので、陽極デューティ比の変調がより容易となる。
【００２３】
なお、本発明は、種々の態様で実現することが可能である。例えば、放電灯の駆動装置と駆動方法、放電灯を使用した光源装置とその制御方法、その光源装置を利用した画像表示装置、等の態様で実現することができる。
【図面の簡単な説明】
【００２４】
【図１】本発明の第１実施例を適用するプロジェクタの概略構成図。
【図２】光源装置の構成を示す説明図。
【図３】放電灯駆動装置の構成を示すブロック図。
【図４】交流パルス電流のデューティ比を変調する様子を示す説明図。
【図５】陽極デューティ比を変調して放電灯を駆動する様子を示す説明図。
【図６】ランプ電圧により放電灯の劣化状態が検知される様子を示す説明図。
【図７】変調範囲決定部が変調範囲を決定する処理の流れを示すフローチャート。
【図８】ランプ電圧の増加に応じてデューティ比の変調範囲が拡大されていく様子を示すグラフ。
【図９】主鏡側電極の陽極デューティ比の最高値と、陽極デューティ比変化量との関係を示す説明図。
【図１０】第１期において陽極デューティ比が変調される様子を示す説明図。
【図１１】第２期において陽極デューティ比が変調される様子を示す説明図。
【図１２】第３期において陽極デューティ比が変調される様子を示す説明図。
【図１３】第４期において陽極デューティ比が変調される様子を示す説明図。
【図１４】陽極デューティ比の変更が放電電極に対して及ぼす影響を示す説明図。
【図１５】第２実施例における、主鏡側電極の陽極デューティ比の最高値と、ステップ時間との関係を示す説明図。
【図１６】第１期において陽極デューティ比が変調される様子を示す説明図。
【図１７】第２期において陽極デューティ比が変調される様子を示す説明図。
【図１８】第３期において陽極デューティ比が変調される様子を示す説明図。
【図１９】第４期において陽極デューティ比が変調される様子を示す説明図。
【発明を実施するための形態】
【００２５】
次に、本発明の実施の形態を実施例に基づいて以下の順序で説明する。
Ａ．第１実施例：
Ｂ．第２実施例：
Ｃ．変形例：
【００２６】
Ａ．第１実施例：
図１は、本発明の第１実施例を適用するプロジェクタ１０００の概略構成図である。プロジェクタ１０００は、光源装置１００と、照明光学系３１０と、色分離光学系３２０と、３つの液晶ライトバルブ３３０Ｒ，３３０Ｇ，３３０Ｂと、クロスダイクロイックプリズム３４０と、投写光学系３５０とを備えている。
【００２７】
光源装置１００は、放電灯５００が取り付けられた光源ユニット１１０と、放電灯５００を駆動する放電灯駆動装置２００とを有している。放電灯５００は、放電灯駆動装置２００から電力の供給を受けて光を放射する。光源ユニット１１０は、放電灯５００の放射光を照明光学系３１０に向けて射出する。なお、光源ユニット１１０および放電灯駆動装置２００の具体的な構成や機能については、後述する。
【００２８】
光源ユニット１１０から射出された光は、照明光学系３１０により、照度が均一化されるとともに、偏光方向が一方向に揃えられる。照明光学系３１０を経て照度が均一化され偏光方向が揃えられた光は、色分離光学系３２０により、赤色（Ｒ）、緑色（Ｇ）および青色（Ｂ）の３色の色光に分離される。色分離光学系３２０により分離された３色の色光は、それぞれ対応する液晶ライトバルブ３３０Ｒ，３３０Ｇ，３３０Ｂにより変調される。液晶ライトバルブ３３０Ｒ，３３０Ｇ，３３０Ｂにより変調された３色の色光は、クロスダイクロイックプリズム３４０により合成され、投写光学系３５０に入射する。投写光学系３５０が、入射した光を図示しないスクリーン上に投影することにより、スクリーン上には液晶ライトバルブ３３０Ｒ，３３０Ｇ，３３０Ｂにより変調された画像が合成されたフルカラーの映像として画像が表示される。なお、第１実施例では、３つの液晶ライトバルブ３３０Ｒ，３３０Ｇ，３３０Ｂにより３色の色光を別個に変調しているが、カラーフィルタを備える１つ液晶ライトバルブで光の変調を行うものとしてもよい。この場合、色分離光学系３２０とクロスダイクロイックプリズム３４０を省略することができる。
【００２９】
図２は、光源装置１００の構成を示す説明図である。光源装置１００は、上述のように、光源ユニット１１０と放電灯駆動装置２００とを有している。光源ユニット１１０は、放電灯５００と、回転楕円形の反射面を有する主反射鏡１１２と、出射光をほぼ並行光にする平行化レンズ１１４とを備えている。ただし、主反射鏡１１２の反射面は、必ずしも回転楕円形である必要はない。例えば、主反射鏡の１１２の反射面は、回転放物形であってもよい。この場合、放電灯５００の発光部を放物面鏡のいわゆる焦点に置けば、平行化レンズ１１４を省略することができる。主反射鏡１１２と放電灯５００とは、無機接着剤１１６により接着されている。
【００３０】
放電灯５００は、放電灯本体５１０と、球面状の反射面を有する副反射鏡５２０とを無機接着剤５２２で接着することにより形成されている。放電灯本体５１０は、例えば、石英ガラスなどのガラス材料で形成されている。放電灯本体５１０には、タングステン等の高融点金属の電極材で形成された２つの放電電極５３２，５４２と、２つの接続部材５３４，５４４と、２つの電極端子５３６，５４６とが設けられている。放電電極５３２，５４２は、その先端部が放電灯本体５１０の中央部に形成された放電空間５１２において対向するように配置されている。放電空間５１２には、放電媒体として、希ガス、水銀や金属ハロゲン化合物等を含むガスが封入されている。接続部材５３４，５４４は、放電電極５３２，５４２と、電極端子５３６，５４６とをそれぞれ電気的に接続する部材である。
【００３１】
放電灯５００の電極端子５３６，５４６は、それぞれ放電灯駆動装置２００に接続されている。放電灯駆動装置２００は、電極端子５３６，５４６にパルス状の交流電流（交流パルス電流）を供給する。電極端子５３６，５４６に交流パルス電流が供給されると、放電空間５１２内の２つの放電電極５３２，５４２の先端部の間で、アークＡＲが生じる。アークＡＲは、アークＡＲの発生位置から全方位に向かって光を放射する。副反射鏡５２０は、一方の放電電極５４２の方向に放射される光を、主反射鏡１１２に向かって反射する。このように、放電電極５４２方向に放射される光を主反射鏡１１２に向かって反射することにより、光源ユニット１１０から射出される光の平行度をより高くすることができる。なお、以下では、副反射鏡５２０が設けられている側の放電電極５４２を「副鏡側電極５４２」とも呼び、他方の放電電極５３２を「主鏡側電極５３２」とも呼ぶ。
【００３２】
図３は、放電灯駆動装置２００の構成を示すブロック図である。放電灯駆動装置２００は、駆動制御部２１０と、点灯回路２２０とを有している。駆動制御部２１０は、ＣＰＵ６１０と、ＲＯＭ６２０と、ＲＡＭ６３０と、タイマ６４０と、点灯回路２２０に制御信号を出力する出力ポート６５０と、点灯回路２２０からの信号を取得する入力ポート６６０とを備えるコンピュータとして構成されている。駆動制御部２１０のＣＰＵ６１０は、タイマ６４０の出力に基づいて、ＲＯＭ６２０に格納されたプログラムを実行する。これにより、ＣＰＵ６１０は、陽極デューティ比変調部６１２と、変調範囲決定部６１４との機能を実現する。なお、陽極デューティ比変調部６１２と、変調範囲決定部６１４の機能については、後述する。
【００３３】
点灯回路２２０は、交流パルス電流を発生するインバータ２２２を有している。点灯回路２２０は、駆動制御部２１０から出力ポート６５０を介して供給される制御信号に基づいて、インバータ２２２を制御することにより、放電灯５００に定電力（例えば、２００Ｗ）の交流パルス電流を供給する。具体的には、点灯回路２２０は、インバータ２２２を制御して、制御信号により指定された給電条件（例えば、交流パルス電流の周波数、デューティ比、および電流波形）に応じた交流パルス電流をインバータ２２２に発生させる。点灯回路２２０は、インバータ２２２により発生された交流パルス電流を放電灯５００に供給する。
【００３４】
駆動制御部２１０の陽極デューティ比変調部６１２は、予め設定された変調周期（例えば、２００秒）内で交流パルス電流のデューティ比を変調する。図４は、交流パルス電流のデューティ比が変調される様子を示す説明図である。図４のグラフは、陽極デューティ比Ｄａｍ，Ｄａｓの時間変化を示している。ここで、陽極デューティ比Ｄａｍ，Ｄａｓとは、交流パルス電流の一周期に対する、２つの電極５３２，５４２のそれぞれが陽極として動作する時間（陽極時間）の比率である。図４のグラフにおいて、実線は主鏡側電極５３２の陽極デューティ比Ｄａｍを示し、破線は副鏡側電極５４２の陽極デューティ比Ｄａｓを示している。
【００３５】
図４の例では、陽極デューティ比変調部６１２（図３）は、変調周期Ｔｍ（２００秒）の１／２０のステップ時間Ｔｓ（１０秒）が経過するごとに、所定の変更幅（２％）で陽極デューティ比Ｄａｍ，Ｄａｓを変更する。このように、変調周期Ｔｍ内で陽極デューティ比Ｄａｍ，Ｄａｓを変調することにより、放電空間５１２（図２）の内壁に電極材が偏って蒸着されることを抑制することができる。電極材の偏った蒸着を抑制することにより、放電灯５００の光量の偏りや、電極材の針状結晶の成長による異常放電を抑制することが可能となる。なお、第１実施例では、変調周期Ｔｍを２００秒とし、ステップ時間Ｔｓを１０秒としている。但し、変調周期Ｔｍやステップ時間Ｔｓは、放電灯５００の特性や給電条件等に基づいて、適宜変更することができる。
【００３６】
図４から明らかなように、第１実施例では、主鏡側電極５３２の陽極デューティ比Ｄａｍの最高値が、副鏡側電極５４２の陽極デューティ比Ｄａｓの最高値よりも高くなるように設定されている。しかしながら、２つの放電電極５３２，５４２の陽極デューティ比の最高値は必ずしも異なるものとする必要はない。但し、陽極デューティ比の最高値を高くすると、後述するように、放電電極５３２，５４２の最高温度が高くなる。一方、図２に示すように副反射鏡５２０を有する放電灯５００を用いる場合、副鏡側電極５４２からの熱は放出されにくくなる。そのため、主鏡側電極５３２の陽極デューティ比Ｄａｍの最高値を副鏡側電極５４２の陽極デューティ比Ｄａｓの最高値よりも高くするのが、副鏡側電極５４２の過度な温度上昇を抑制できる点でより好ましい。また、一般に、２つの放電電極５３２，５４２について同一の動作条件で駆動したときに、冷却方法等の影響により一方の放電電極の温度が他方の放電電極の温度よりも高くなる場合、その一方の放電電極の陽極デューティ比を他方の陽極デューティ比よりも低くするのがより好ましい。
【００３７】
なお、第１実施例では、主鏡側電極５３２の陽極デューティ比Ｄａｍは、変調周期Ｔｍの前半ではステップ時間Ｔｓごとに増やされ、後半ではステップ時間Ｔｓごとに減らされている。しかしながら、陽極デューティ比Ｄａｍ，Ｄａｓの変更パターンは、必ずしもこの限りでない。例えば、変調周期Ｔｍ内で、主鏡側電極５３２の陽極デューティ比Ｄａｍを単調に増加させるものとしてもよく、あるいは、単調に減少させるものとしてもよい。但し、放電灯５００に加わる熱衝撃を低減することが可能である点で、図４に示すように、ステップ時間Ｔｓごとの陽極デューティ比Ｄａｍ，Ｄａｓの変化量を一定にするのがより好ましい。
【００３８】
図５は、陽極デューティ比を変調して放電灯５００を駆動する様子を示す説明図である。図５（ａ）は、陽極デューティ比Ｄａｍ，Ｄａｓの時間変化を一変調周期（１Ｔｍ）分のみ図示している点で、図４と異なっている。他の点は、図４とほぼ同じであるので、ここではその説明を省略する。図５（ｂ）は、図５（ａ）において主鏡側電極５３２の陽極デューティ比Ｄａｍが異なる値（４５％，５５％，６５％）に設定されている３つの期間Ｔ１〜Ｔ３での主鏡側電極５３２の動作状態の時間変化を示すグラフである。
【００３９】
図５（ｂ）に示すように、陽極デューティ比Ｄａｍが異なる３つの期間Ｔ１〜Ｔ３のいずれにおいても、主鏡側電極５３２の極性が切り替えられる切替周期Ｔｐは一定である。このように、第１実施例では、変調周期Ｔｍの全期間にわたって、交流パルス電流の周波数（ｆ＝１／Ｔｐ）が一定の周波数（例えば、８０Ｈｚ）に設定されている。一方、主鏡側電極５３２の陽極時間Ｔａ１〜Ｔａ３は、陽極デューティ比Ｄａｍが異なる期間Ｔ１〜Ｔ３において、異なる値に設定されている。このように、第１実施例では、交流パルス電流の周波数ｆを一定に保ったまま、陽極時間Ｔａを変更することにより、陽極デューティ比Ｄａｍの変調が行われる。なお、交流パルス電流の周波数ｆは、必ずしも一定である必要はない。但し、一般的なパルス幅変調回路を使用して陽極デューティ比が変調できる点で、交流パルス電流の周波数ｆを一定にするのがより好ましい。
【００４０】
第１実施例において、駆動制御部２１０の変調範囲決定部６１４（図３）は、放電灯５００の劣化状態に基づいて、変調周期Ｔｍ内で設定される陽極デューティ比の範囲（変調範囲）を変更する。具体的には、ＣＰＵ６１０が、入力ポート６６０を介して、放電灯５００の劣化状態を表すパラメータとしてのランプ電圧を取得する。ここで、ランプ電圧とは、放電灯５００を定電力で駆動する際の、放電電極５３２，５４２間の電圧をいう。変調範囲決定部６１４は、このように取得されたランプ電圧（検出ランプ電圧）に基づいて、デューティ比の変調範囲を決定する。ＣＰＵ６１０は、変調範囲決定部６１４において決定された変調範囲に基づいて、ステップ時間Ｔｓごとに陽極デューティ比が変更されるように、点灯回路２２０を制御する。なお、変調範囲決定部６１４による陽極デューティ比の変調範囲の決定方法については、後述する。
【００４１】
図６はランプ電圧により放電灯５００の劣化状態が検知される様子を示す説明図である。図６（ａ）は、初期状態での放電電極５３２，５４２の先端部の様子を示している。図６（ｂ）は、放電灯５００が劣化した状態における放電電極５３２，５４２の先端部の様子を示している。図６（ａ）に示すように、初期状態において、それぞれの放電電極５３２，５４２の先端部には、ドーム状の突起５３８，５４８が対向する放電電極に向かって形成されている。
【００４２】
このとき、放電電極５３２，５４２間の放電によるアークＡＲは、２つの突起５３８，５４８の間で発生する。放電灯５００が使用されると、これらの突起５３８，５４８から電極材が蒸発し、図６（ｂ）に示すように突起５３８ａ，５４８ａの先端が平坦化する。突起５３８ａ、５４８ａの先端が平坦化すると、放電のアークＡＲａの長さが長くなる。そのため、同一の電力を供給するのに要する電極間電圧、すなわち、ランプ電圧が上昇する。このように、ランプ電圧は、放電灯５００が劣化して行くにつれて漸次上昇する。そこで、第１実施例では、ランプ電圧を放電灯５００の劣化状態を表すパラメータとして使用している。
【００４３】
図７は、変調範囲決定部６１４が陽極デューティ比の変調範囲を決定する処理の流れを示すフローチャートである。この処理は、放電灯駆動装置２００において、例えば、プロジェクタ１０００の起動中あるいは放電灯５００の点灯中に常時実行される。但し、変調範囲の決定処理は、必ずしも常時実行される必要はない。例えば、タイマ６４０（図３）を、放電灯５００の点灯時間が所定の時間（例えば、１０時間）経過するごとにインターバル信号を発生するように構成し、ＣＰＵ６１０がインターバル信号を受け取った場合に変調範囲の決定処理を実行するものとしてもよい。
【００４４】
ステップＳ１１０において、変調範囲決定部６１４は、陽極デューティ比の変調範囲とランプ電圧の上限値（上限ランプ電圧）との設定状態を取得する。設定状態は、例えば、駆動制御部２１０が有するメモリ（図示しない）を参照することにより取得することができる。次いで、ステップＳ１２０では、変調範囲決定部６１４が、ＣＰＵ６１０が入力ポート６６０を介して取得したランプ電圧（検出ランプ電圧）を取得する。
【００４５】
ステップＳ１３０において、変調範囲決定部６１４は、取得した検出ランプ電圧が上限ランプ電圧以下か否かを判断する。検出ランプ電圧が上限ランプ電圧を超えている場合、制御はステップＳ１４０に進む。一方、検出ランプ電圧が上限ランプ電圧以下である場合、制御はステップＳ１２０に戻され、検出ランプ電圧が上限ランプ電圧を超えるまで、ステップＳ１２０，Ｓ１３０が繰り返し実行される。
【００４６】
ステップＳ１４０では、変調範囲決定部６１４が、陽極デューティ比の変調範囲を拡大する。次いで、ステップＳ１５０において、変調範囲決定部６１４は、上限ランプ電圧の設定を変更する。ステップＳ１５０における上限ランプ電圧の設定変更の後、制御はステップＳ１２０に戻され、ステップＳ１２０〜Ｓ１５０が繰り返し実行される。
【００４７】
図７に示すフローチャートから明らかなように、変調範囲決定部６１４は、検出ランプ電圧が上限ランプ電圧超えた場合に、陽極デューティ比の変調範囲を変更する。そのため、変調範囲決定部６１４は、変調範囲を変更する「変調範囲変更部」とも呼ぶことができる。
【００４８】
図８は、図７に示す変調範囲の決定処理により、ランプ電圧の増加に応じて陽極デューティ比の変調範囲が拡大されていく様子を示す説明図である。図８は、ランプ電圧Ｖｐと、主鏡側電極５３２の陽極デューティ比Ｄａｍの変調範囲との関係を示すグラフである。図８の例では、放電灯５００の初期状態において、上限ランプ電圧は８０Ｖに設定され、主鏡側電極５３２の陽極デューティ比Ｄａｍの変調範囲は４５％〜６５％に設定される。そのため、ランプ電圧Ｖｐが初期状態（約６５Ｖ）から８０Ｖに到達するまでの第１期において、主鏡側電極５３２の陽極デューティ比Ｄａｍの変調範囲は４５％〜６５％の間に設定される。
【００４９】
放電灯５００の点灯に伴いランプ電圧Ｖｐが次第に上昇して、第１期の上限ランプ電圧（８０Ｖ）を超えると、図７のステップＳ１４０において主鏡側電極５３２の陽極デューティ比Ｄａｍの変調範囲が拡大されるとともに、ステップＳ１５０において上限ランプ電圧が変更される。具体的には、図８に示すように、検出ランプ電圧Ｖｐが８０Ｖを超えた第２期では、主鏡側電極５３２の陽極デューティ比Ｄａｍの変調範囲は４０％〜７０％に変更される。また、第２期において上限ランプ電圧は９０Ｖに設定される。
【００５０】
ランプ電圧Ｖｐがさらに第２期の上限ランプ電圧（９０Ｖ）を超えた第３期では、主鏡側電極５３２の陽極デューティ比Ｄａｍの変調範囲は、さらに拡大されて３５％〜７５％に設定される。そして、上限ランプ電圧が１１０Ｖに設定される。同様に、ランプ電圧Ｖｐが第３期の上限ランプ電圧（１１０Ｖ）を超えた第４期では、主鏡側電極５３２の陽極デューティ比Ｄａｍの変調範囲は３０％〜８０％に設定される。
【００５１】
図８に示すように、第１実施例では、ランプ電圧Ｖｐが上昇して上限ランプ電圧を超えると、主鏡側電極５３２の陽極デューティ比Ｄａｍの最高値はより高く設定され、最低値はより低く設定される。これにより、副鏡側電極５４２の陽極デューティ比Ｄａｓも、より高く設定される。しかしながら、放電灯の種類や放電電極の形状など、放電灯の特性によっては、図８に示すパターンとは異なるパターンで、陽極デューティ比Ｄａｍ，Ｄａｓの変調範囲を変更するものとしてもよい。例えば、形状や材料あるいは他の環境要素により副鏡側電極５４２の温度が過剰に上昇しにくく副鏡側電極５４２の電極材が蒸発しにくい場合は、さらに、副鏡側電極５４２の陽極デューティ比Ｄａｓの最高値を増加してもよい。逆に、形状や材料あるいは他の環境要素により主鏡側電極５３２の温度が過剰に低下しにくく主鏡側電極５３２の電極材が蒸発しやすい場合は、主鏡側電極５３２の陽極デューティ比Ｄａｍの最高値を増加させないものとしてもよい。一般的には、変調周期Ｔｍ内で、２つの放電電極５３２，５４２の少なくとも一方の陽極デューティ比Ｄａｍ，Ｄａｓが高くできればよい。
【００５２】
図９は、主鏡側電極５３２の陽極デューティ比の最高値と、ステップ時間Ｔｓ（図４）ごとの陽極デューティ比の変更幅（デューティ比変化量）との関係を示すグラフである。第１実施例では、図９に示すように、陽極デューティ比の最高値を高くするため、ステップ時間Ｔｓごとのデューティ比変化量を大きくしている。
【００５３】
図１０は、図８に示す第１期において、陽極デューティ比が変調される様子を示す説明図である。図１０は、図５（ａ）とほぼ同じ図面である。図１０に示すように、第１期においては、主鏡側電極５３２の陽極デューティ比Ｄａｍは４５％から６５％の範囲で変調されている。従って、副鏡側電極５４２の陽極デューティ比Ｄａｓは、変調周期Ｔｍ内で３５％から５５％の範囲で変調されている。陽極デューティ比は、変調周期Ｔｍ（２００秒）の１／２０のステップ時間（１０秒）ごとに、２％ずつ変更されている。
【００５４】
図１１は、図８に示す第２期において、陽極デューティ比が変調される様子を示す説明図である。図１１は、陽極デューティ比の変調範囲が図１０よりも広くなっている点で、図１０と異なっている。他の点は、図１０と同じである。
【００５５】
図１１に示すように、第２期においては、主鏡側電極５３２の陽極デューティ比Ｄａｍは４０％から７０％の範囲で変調されている。従って、副鏡側電極５４２の陽極デューティ比Ｄａｓは、変調周期Ｔｍ内で３０％から６０％の範囲で変調されている。陽極デューティ比は、第１期と同様に、変調周期Ｔｍ（２００秒）の１／２０のステップ時間（１０秒）ごとに変更される。但し、図９に示すように、主鏡側電極５３２の陽極デューティ比Ｄａｍの最高値を第１期よりも高い７０％とするため、デューティ比変化量（３％）は、第１期（２％）よりも高くなっている。
【００５６】
図１２および図１３は、図８に示す第３期および第４期において、陽極デューティ比が変調される様子を示す説明図である。図１２および図１３は、陽極デューティ比Ｄａｍ，Ｄａｓの変調範囲が変更されている点で、図１０に示すグラフと異なっている。他の点は、図１０と同じである。図１２および図１３に示すように、第３期および第４期においては、ステップ時間Ｔｓごとのデューティ比変化量をそれぞれ４％と５％にすることにより、陽極デューティ比Ｄａｍ，Ｄａｓの変調範囲が拡大されている。
【００５７】
図１４は、陽極デューティ比の上昇が放電電極に対して及ぼす影響を示す説明図である。図１４（ａ）および図１４（ｂ）は、主鏡側電極５３２が陽極として動作している状態における主鏡側電極５３２の様子を示している。図１４（ｃ）は、主鏡側電極５３２の動作状態の時間変化を表すグラフである。図１４（ｄ）は、主鏡側電極５３２の温度の時間変化を表すグラフである。
【００５８】
図１４（ａ）および図１４（ｂ）に示すように、主鏡側電極５３２が陽極として動作している場合、電子は、副鏡側電極５４２から放出され、主鏡側電極５３２に衝突する。この電子の衝突により、陽極側の主鏡側電極５３２では電子の運動エネルギが熱エネルギに変換され、主鏡側電極５３２の温度が上昇する。一方、陰極側の副鏡側電極５４２では、電子の衝突が起こらないため、熱伝導や放射等により副鏡側電極５４２の温度が低下する。同様に、主鏡側電極５３２が陰極として動作している期間においては、主鏡側電極５３２の温度が低下し、副鏡側電極５４２の温度が上昇する。
【００５９】
そのため、図１４（ｃ）に示すように主鏡側電極５３２の陽極デューティ比を高くすると、図１４（ｄ）に示すように、主鏡側電極５３２の温度が上昇する時間が長くなるとともに、主鏡側電極５３２の温度が低下する時間が短くなる。このように主鏡側電極５３２の陽極デューティ比を高くすることにより、主鏡側電極５３２の最高温度が高くなる。主鏡側電極５３２の最高温度が高くなると、図１４（ｂ）に示すように、突起５３８ｂの先端では、電極材が溶融した溶融部ＭＲが発生する。電極材が溶融した溶融部ＭＲは、表面張力によりその形状がドーム状となる。そのため、図１４（ａ）に示すように、先端部が平坦化していた突起５３８ａから、ドーム状の突起５３８ｂが再形成される。
【００６０】
第１実施例では、図８に示すように、ランプ電圧Ｖｐが上昇するに従って、主鏡側電極５３２の陽極デューティ比の最高値が第１期よりも高く設定される。このように、ランプ電圧Ｖｐが上昇した第２期ないし第４期において主鏡側電極５３２の陽極デューティ比を、初期の第１期よりも高く設定することにより、放電灯５００の点灯により平坦化した突起５３８ａ（図１４（ａ））からドーム状の突起５３８ｂが再形成される。また、図８に示すように、第２期ないし第４期においては、主鏡側電極５３２の陽極デューティ比の最低値が第１期よりも低く設定される。そのため、第２期ないし第４期における第２の放電電極の陽極デューティ比の最高値も第１期よりも高く設定され、副鏡側電極５４２においてもドーム状の突起が再形成される。
【００６１】
一般に、突起５３８，５４８の先端が平坦化した場合、アークの発生位置が不安定化し、点灯中にアークの位置が移動するいわゆるアークジャンプが発生するおそれが高くなる。第１実施例では、図６（ｂ）に示すように、突起５３８ａ，５４８ａの先端が平坦化し、ランプ電圧が上昇すると、放電電極５３２，５４２の陽極デューティ比の最高値がより高い値に設定される。これにより、図１４（ｂ）に示すように、ドーム上の突起５３８ｂが再形成されると、アークは突起の先端の間で安定的に発生する。
【００６２】
このように、第１実施例では、ランプ電圧の増加に従って、２つの放電電極５３２，５４２の陽極デューティ比Ｄａｍ，Ｄａｓの最大値が、いずれも高くなるように陽極デューティ比の変調範囲が拡大される。そのため、劣化が進んだ放電灯５００に対しては、突起の再形成を促すとともに、劣化が進んでいない放電灯５００に対しては、放電電極５３２，５４２の過昇温による劣化の進行を抑制する。そのため、放電灯５００をより長期間にわたって安定的に点灯させることが容易となる。
【００６３】
Ｂ．第２実施例：
図１５は、第２実施例における、主鏡側電極５３２の陽極デューティ比の最高値と、陽極デューティ比を変更する時間間隔（すなわち、ステップ時間Ｔｓ）との関係を示す説明図である。第２実施例は、デューティ比変化量を一定にして、ステップ時間Ｔｓを変化させることで陽極デューティ比Ｄａｍ，Ｄａｓの最高値を変更している点で、ステップ時間Ｔｓを一定にして、デューティ比変化量を変化させることで陽極デューティ比Ｄａｍ，Ｄａｓの最高値を変更する第１実施例と異なっている。他の点は、第１実施例と同様である。
【００６４】
図１６ないし図１９は、第２実施例における陽極デューティ比の変調の様子を示す説明図である。図１６ないし図１９は、それぞれ、図８に示す第１期ないし第４期における陽極デューティ比Ｄａｍ，Ｄａｓの時間変化を示すグラフである。
【００６５】
図１６に示すように、第１期（図８参照）では、ステップ時間Ｔｓを２５秒とし、デューティ比変化量を５％としている。これにより、第１期においては、主鏡側電極５３２の陽極デューティ比Ｄａｍが４５％〜６５％の範囲で変調され、副鏡側電極５４２の陽極デューティ比Ｄａｓが３５％〜５５％の範囲で変調される。
【００６６】
次いで、ランプ電圧が８０Ｖを超えた第２期では、図１７に示すように、ステップ時間Ｔｓは、約１６．７秒（５０／３秒）に設定される。また、デューティ比変化量は、第１期と同じ５％に設定される。これにより、第２期においては、主鏡側電極５３２の陽極デューティ比Ｄａｍが４０％〜７０％の範囲で変調され、副鏡側電極５４２の陽極デューティ比Ｄａｓが３０％〜６０％の範囲で変調される。
【００６７】
ランプ電圧が９０Ｖを超えた第３期では、図１８に示すように、ステップ時間Ｔｓは、１２．５秒に設定される。また、デューティ比変化量は、第１期と同じ５％に設定される。これにより、第３期においては、主鏡側電極５３２の陽極デューティ比Ｄａｍが３５％〜７５％の範囲で変調され、副鏡側電極５４２の陽極デューティ比Ｄａｓが２５％〜６５％の範囲で変調される。
【００６８】
さらに、ランプ電圧が１１０Ｖを超えた第４期では、図１９に示すように、ステップ時間Ｔｓは、１０秒に設定される。また、デューティ比変化量は、第１期と同じ５％に設定される。これにより、第４期においては、主鏡側電極５３２の陽極デューティ比Ｄａｍが３０％〜８０％の範囲で変調され、副鏡側電極５４２の陽極デューティ比Ｄａｓが２０％〜７０％の範囲で変調される。
【００６９】
このように、第２実施例においては、ランプ電圧が上昇すると、デューティ比変化量を一定に保った状態で、ステップ時間Ｔｓを短縮して変調周期Ｔｍ内におけるデューティ比の変更回数を増加させる。これにより、陽極デューティ比Ｄａｍ，Ｄａｓの最高値は、第１実施例と同様に、ランプ電圧の上昇に従ってより高く設定される。そのため、第２実施例においても、劣化が進んだ放電灯５００に対しては、突起の再形成を促すとともに、劣化が進んでいない放電灯５００に対しては、放電電極５３２，５４２の過昇温による劣化の進行を抑制する。そのため、放電灯５００をより長期間にわたって安定的に点灯させることが容易となる。
【００７０】
また、第２実施例では、陽極デューティ比の変調範囲が広い状態では、ステップ時間が短縮される。そのため、陽極デューティ比の高い期間が短縮され、放電電極５３２，５４２の過昇温を抑制することができる。
【００７１】
Ｃ．変形例：
なお、この発明は上記実施例や実施形態に限られるものではなく、その要旨を逸脱しない範囲において種々の態様において実施することが可能であり、例えば次のような変形も可能である。
【００７２】
Ｃ１．変形例１：
上記各実施例では、放電灯５００の劣化状態をランプ電圧を用いて検出しているが、放電灯５００の劣化状態は、他の方法で検出することも可能である。例えば、突起５３８ａ，５４８ａ（図６）の平坦化に伴うアークジャンプの発生に基づいて放電灯５００の劣化状態を検出することも可能である。また、放電空間５１２（図２）の内壁に電極材が蒸着することによる光量の低下などに基づいて放電灯５００の劣化状態を検出することも可能である。アークジャンプの発生や光量の低下は、放電灯５００に近接して配置されたフォトダイオード等の光センサを用いて検出することができる。
【００７３】
Ｃ２．変形例２：
上記各実施例では、図８に示すように、ランプ電圧、すなわち、放電灯５００の劣化状態を検出して、その検出結果に基づいて陽極デューティ比の変調範囲を変更しているが、他の条件に基づいて変調範囲の変更を行うものとしてもよい。例えば、タイマ６４０により計測される放電灯５００の累積点灯時間が、所定の基準時間（例えば、５００時間）を経過した場合に、陽極デューティ比の変調範囲を変更するものとしてもよい。このようにしても、劣化が進行していない放電電極に対してはその過昇温を抑制するとともに、劣化が進行している放電電極に対しては突起の形成を促すことができるので、放電灯５００をより長期間にわたって安定的に点灯させることが可能となる。なお、この場合、所定の基準時間は、放電灯５００の寿命や、放電電極の劣化の進行についての実験等に基づいて、適宜設定することができる。
【００７４】
Ｃ３．変形例３：
上記各実施例では、プロジェクタ１０００（図１）における光変調手段として、液晶ライトバルブ３３０Ｒ，３３０Ｇ，３３０Ｂを用いているが、光変調手段としては、ＤＭＤ（デジタルマイクロミラーデバイス：Texas Instruments社の商標）など、他の任意の変調手段を用いることも可能である。また、本発明は、放電灯を光源とする装置であれば、液晶表示装置をはじめとする種々の画像表示装置や、露光装置や照明装置等に適用することもできる。
【符号の説明】
【００７５】
１００…光源装置
１１０…光源ユニット
１１２…主反射鏡
１１４…平行化レンズ
１１６…無機接着剤
２００…放電灯駆動装置
２１０…駆動制御部
２２０…点灯回路
３１０…照明光学系
３２０…色分離光学系
３３０Ｒ，３３０Ｇ，３３０Ｂ…液晶ライトバルブ
３４０…クロスダイクロイックプリズム
３５０…投写光学系
５００…放電灯
５１０…放電灯本体
５１２…放電空間
５２０…副反射鏡
５２２…無機接着剤
５３２，５４２…放電電極
５３４，５４４…接続部材
５３６，５４６…電極端子
５３８，５４８…突起
５３８ａ，５４８ａ…突起
５３８ｂ…突起
６１０…ＣＰＵ
６１２…陽極デューティ比変調部
６１４…変調範囲決定部
６２０…ＲＯＭ
６３０…ＲＡＭ
６４０…タイマ
６５０…出力ポート
６６０…入力ポート
１０００…プロジェクタ
【図１】
2010135343.tif 000003
【図２】
2010135343.tif 000004
【図３】
2010135343.tif 000005
【図４】
2010135343.tif 000006
【図５】
2010135343.tif 000007
【図６】
2010135343.tif 000008
【図７】
2010135343.tif 000009
【図８】
2010135343.tif 000010
【図９】
2010135343.tif 000011
【図１０】
2010135343.tif 000012
【図１１】
2010135343.tif 000013
【図１２】
2010135343.tif 000014
【図１３】
2010135343.tif 000015
【図１４】
2010135343.tif 000016
【図１５】
2010135343.tif 000017
【図１６】
2010135343.tif 000018
【図１７】
2010135343.tif 000019
【図１８】
2010135343.tif 000020
【図１９】
2010135343.tif 000021
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
２つの電極間に印加する電圧の極性を交互に切り替えつつ、両電極間で放電を行うことにより点灯する放電灯の駆動方法であって、
前記極性切替の一周期において前記電極の一方が陽極として動作する陽極時間の比率である陽極デューティ比を、所定の範囲内で変調し、
前記放電灯の使用に伴う前記電極の劣化状態を検知し、
前記劣化状態に基づいて、前記所定の範囲を変更し、前記変調される陽極デューティ比の最高値を、前記放電灯の初期の陽極デューティ比の最高値よりも高くする
放電灯の駆動方法。
【請求項２】
請求項１記載の放電灯の駆動方法であって、
前記劣化状態を、前記２つの電極間に所定の電力を供給する際の両電極間の電圧に基づいて検知する
放電灯の駆動方法。
【請求項３】
請求項１または２に記載の放電灯の駆動方法であって、
前記陽極デューティ比の変調において、該陽極デューティ比の１回の変更当たりの陽極デューティ比の変化幅は一定であり、
前記所定の条件が満たされた場合、前記陽極デューティ比の最高値を、前記変調が行われる一変調周期のうちで、前記陽極デューティ比を増加する変更の実施回数を増やすことによって高くする
放電灯の駆動方法。
【請求項４】
請求項１から請求項３のいずれか一項に記載の放電灯の駆動方法であって、
前記放電灯は、前記２つの電極の一方の電極が他方の電極より動作中の温度が高くなる条件を備えており、
前記一方の電極における陽極デューティ比を、前記他方の電極における陽極デューティ比よりも低くする
放電灯の駆動方法。
【請求項５】
請求項４記載の放電灯の駆動方法であって、
前記放電灯は、前記電極間で放射される光を前記他方の電極側に向けて反射する反射鏡を有している
放電灯の駆動方法。
【請求項６】
請求項１ないし５のいずれか記載の放電灯の駆動方法であって、
前記極性切替の周期を、前記変調が行われる一変調周期内において一定値に維持する
放電灯の駆動方法。
【請求項７】
放電灯の駆動装置であって、
前記放電灯の２つの電極間に電力を供給して前記放電灯を点灯する放電灯点灯部と、
前記放電灯点灯部による電力の供給状態を制御する給電制御部と
を備え、
前記放電灯点灯部は、前記電極間に印加する電圧の極性を交互に切り替える極性切替部を有しており、
前記給電制御部は、
前記極性切替の一周期において前記電極の一方が陽極として動作する陽極時間の比率である陽極デューティ比を所定の範囲内で変調する陽極デューティ比変調部と、
前記放電灯の使用に伴う前記電極の劣化状態を検知する検知部と、
前記劣化状態に基づいて、前記所定の範囲を変更し、前記変調される陽極デューティ比の最高値を、前記放電灯の初期の陽極デューティ比の最高値よりも高くする変調範囲変更部と
を有する放電灯の駆動装置。
【請求項８】
光源装置であって、
放電灯と、
前記放電灯の２つの電極間に電力を供給して前記放電灯を点灯する放電灯点灯部と、
前記放電灯点灯部による電力の供給状態を制御する給電制御部と
を備え、
前記放電灯点灯部は、前記電極間に印加する電圧の極性を交互に切り替える極性切替部を有しており、
前記給電制御部は、
前記極性切替の一周期において前記電極の一方が陽極として動作する陽極時間の比率である陽極デューティ比を所定の範囲内で変調する陽極デューティ比変調部と、
前記放電灯の使用に伴う前記電極の劣化状態を検知する検知部と、
前記劣化状態に基づいて、前記所定の範囲を変更し、前記変調される陽極デューティ比の最高値を、前記放電灯の初期の陽極デューティ比の最高値よりも高くする変調範囲変更部と
を有する光源装置。
【請求項９】
画像表示装置であって、
画像表示用の光源である放電灯と、
前記放電灯の２つの電極間に電力を供給して前記放電灯を点灯する放電灯点灯部と、
前記放電灯点灯部による電力の供給状態を制御する給電制御部と
を備え、
前記放電灯点灯部は、前記電極間に印加する電圧の極性を交互に切り替える極性切替部を有しており、
前記給電制御部は、
前記極性切替の一周期において前記電極の一方が陽極として動作する陽極時間の比率である陽極デューティ比を所定の範囲内で変調する陽極デューティ比変調部と、
前記放電灯の使用に伴う前記電極の劣化状態を検知する検知部と、
前記劣化状態に基づいて、前記所定の範囲を変更し、前記変調される陽極デューティ比の最高値を、前記放電灯の初期の陽極デューティ比の最高値よりも高くする変調範囲変更部と
を有する画像表示装置。